(57)【要約】【課題】胸部の形状を保持しつつも、胸部の動きが保持されて締め付けも少なくすることができるブラジャーを提供する。【解決手段】胸部を保持する左右のカップ体１０と、一端がカップ体１０の上端と連結しつつ人体の肩に掛け回される左右の上部支持体２０と、上端がカップ体１０の下端と連結しつつ左右方向に曲線状に所定の角度をもって斜め上方に上昇しながら延びてカップ体１０の下端を支持する左右の下部支持体３０と、を有するブラジャー１であって、カップ体１０は、下端が左右のカップ体１０の中間部に行くにしたがって下部支持体３０の上端の上昇角度よりも大きい角度をもって斜め上方に曲線状に上昇するように形成されるとともに、カップ体１０の下端と下部支持体３０の上端とは、中間部に行くにしたがって漸次間隔を広げながら離間して開口３１が形成される。【選択図】図１
2019007121.tif 000002
【特許請求の範囲】
【請求項１】
人体の胸部を保持する左右のカップ体と、前記カップ体を上方から支持する左右の上部支持体と、前記カップ体の下端と連結しつつ左右方向に延びて前記カップ体の下端を支持する左右の下部支持体と、を備えるブラジャーであって、
前記カップ体の下端と前記下部支持体とは、前記左右のカップ体の中間部に行くにしたがって漸次間隔を広げながら離間して前記カップ体の下端と前記下部支持体との間に開口を有することを特徴とするブラジャー。
【請求項２】
前記カップ体は、前記人体の胸部の中央の位置に対応する第１の領域と、前記第１の領域の両側に位置する第２の領域および第３の領域と、からなり、前記第１の領域の左右の縁部を上端から下端にかけて生地を更に重ねるとともに、
前記上部支持体は、前記第１の領域の左右の縁部のうち一方の縁部の上端から上方に延びる第１の上部支持体と、前記第１の領域の左右の縁部のうち他方の縁部の上端から上方に延びる第２の上部支持体と、を左右に備えることを特徴とする請求項１に記載のブラジャー。
【請求項３】
前記第１の上部支持体は、前記カップ体の第１の領域の一方の縁部の前記更に重ねられた生地と連続して一体とされるとともに、前記第２の上部支持体は、前記カップ体の第１の領域の他方の縁部の前記更に重ねられた生地と連続して一体とされることを特徴とする請求項１または請求項２のうちいずれか一項に記載のブラジャー。
【請求項４】
前記第１の上部支持体と連続して一体とされる前記カップ体の第１の領域の一方の縁部の下端と、前記下部支持体の上端と、は連結するとともに、前記第２の上部支持体と連続して一体とされる前記カップ体の第１の領域の他方の縁部の下端は、前記開口の上端に位置し、前記下部支持体と前記開口を介して離間することを特徴とする請求項３に記載のブラジャー。
【請求項５】
前記下部支持体を前記人体に締め付ける左右の締め付け体を備え、
前記下部支持体は、前記カップ体の下端から前記人体の背部の相当位置まで左右方向に更に延在するとともに、前記人体の背部の相当位置において左右の端部が離間し、
前記締め付け体は、前記下部支持体の離間した左右の端部のそれぞれから左右方向に延びて、前記締め付け体の端部は、前記人体の前部の相当位置まで至ることを特徴とする請求項１乃至請求項４のうちいずれか一項に記載のブラジャー。
【請求項６】
天然素材を用いて形成されることを特徴とする請求項１乃至請求項５のうちいずれか一項に記載のブラジャー。
【請求項７】
前記天然素材は、大島紬、コットン、または麻とすることを特徴とする請求項１乃至請求項６のうちいずれか一項に記載のブラジャー。
【発明の詳細な説明】
【技術分野】
【０００１】
本発明は、ブラジャーに関し、特に人体の胸部を保持する左右のカップ体を備えるブラジャーに関する。
【背景技術】
【０００２】
従来から各種のブラジャーが開発されている。このようなブラジャーは、人体の胸部の形状が良好に保持されるように各種の工夫が施されている。このような技術は、例えば、特許文献１に記載された技術が参照される。
【先行技術文献】
【特許文献】
【０００３】
【特許文献１】特開２０００−２７３７０５号
【発明の概要】
【発明が解決しようとする課題】
【０００４】
すなわち、従来のブラジャーにおいては、例えばブラジャーの形状を工夫したり、あるいはワイヤーやゴム等を用いたりすることにより、胸部の形状を良好に保持する等していたが、胸部の形状の保持を優先するあまり、胸部の動きが規制されたり、あるいは無理に締め付けられて無理な形状に保持され、肩こりや腰痛の原因になりブラジャーの装着がストレスになることがある等、人体に悪影響を及ぼすことがあった。このため、胸部の形状を保持しつつも、胸部の動きが保持されて、締め付けも少なく装着のストレスを少なくすることができるブラジャーの開発が強く望まれていた。
【０００５】
本願発明は上記事情に鑑みてなされたものであり、胸部の形状を保持しつつも、装着のストレスを少なくすることができるブラジャーを提供することを目的とする。
【課題を解決するための手段】
【０００６】
上記目的を達成するために、ブラジャーに係る請求項１の発明は、人体の胸部を保持する左右のカップ体と、カップ体を上方から支持する左右の上部支持体と、カップ体の下端と連結しつつ左右方向に延びてカップ体の下端を支持する左右の下部支持体と、を備えるブラジャーであって、カップ体の下端と下部支持体とは、左右のカップ体の中間部に行くにしたがって漸次間隔を広げながら離間してカップ体の下端と下部支持体との間に開口を有することを特徴とする。
【０００７】
本発明によれば、カップ体の下端と下部支持体とは、左右のカップ体の中間部に行くにしたがって漸次間隔を広げながら離間してカップ体の下端と下部支持体との間に開口が形成されることとしたので、カップ体および下部支持体により胸部の形状を保持しつつ、カップ体の下端と下部支持体とが中間部に行くにしたがって漸次間隔を広げながら離間することにより胸部の動きが保持されて締め付けも少なく装着のストレスを少なくすることができる。
【０００８】
カップ体は、人体の胸部の中央の位置に対応する第１の領域と、第１の領域の両側に位置する第２の領域および第３の領域と、からなり、第１の領域の左右の縁部を上端から下端に生地を更に重ねるとともに、上部支持体は、第１の領域の左右の縁部のうち一方の縁部の上端から上方に延びる第１の上部支持体と、第１の領域の左右の縁部のうち他方の縁部の上端から上方に延びる第２の上部支持体と、を左右に備えることとすれば、胸部の中央部が第１の上部支持体と第２の上部支持体の間に保持されて良好な形状に保持することができる（請求項２）。
【０００９】
第１の上部支持体は、カップ体の第１の領域の一方の縁部の更に重ねられた生地と連続して一体とされるとともに、第２の上部支持体は、カップ体の第１の領域の他方の縁部の更に重ねられた生地と連続して一体とされることとすれば、胸部の中央部が第１の上部支持体と第２の上部支持体の間に更に一層保持されて良好な形状に保持することができる（請求項３）。
【００１０】
第１の上部支持体と連続して一体とされるカップ体の第１の領域の一方の縁部の下端と、下部支持体の上端と、は連結するとともに、第２の上部支持体と連続して一体とされるカップ体の第１の領域の他方の縁部の下端は、開口の上端に位置し、下部支持体と開口を介して離間することとすれば、第１の上部支持体、第２の上部支持体、カップ体、および下部支持体により胸部の形状を更に一層保持しつつ、前記第１の領域の他方の縁部の下端と下部支持体の上端とが離間することにより、胸部の自由な動きも保持することができる（請求項４）。
【００１１】
下部支持体を人体に締め付ける左右の締め付け体を備え、下部支持体は、カップ体の下端から人体の背部の相当位置まで左右方向に更に延在するとともに、人体の背部の相当位置において左右の端部が離間し、締め付け体は、下部支持体の離間した左右の端部のそれぞれから左右方向に延びて、締め付け体の端部は、人体の前部の相当位置まで至ることとすれば、締め付け体を左右方向に引っ張ったときに、左右の下部支持体も引っ張られて離間した端部間の間隔が狭くなり、下部支持体を人体に締め付けることができる。また、人体の前部で締め付け体の端部を結ぶことができ、締め付け作業を容易に行うことができるとともに、締め付け力の調節も容易に行うことができる（請求項５）。
【００１２】
ここで、ブラジャーは、天然素材を用いて形成することができ（請求項６）、天然素材は、大島紬、コットン、または麻とすることができる（請求項７）。
【発明の効果】
【００１３】
本発明によれば、胸部の形状を保持しつつも、装着のストレスを少なくすることができる。
【図面の簡単な説明】
【００１４】
【図１】本発明の実施形態に係るブラジャーの全体構成を示す正面図である。
【図２】同ブラジャーの全体構成を示す背面図である。
【図３】本発明の変形例に係るブラジャーの全体構成を示す正面図である。
【図４】同ブラジャーの全体構成を示す背面図である。
【図５】他の発明に係るパンティの構成を示す図である。
【図６】他の発明に係るトランクスの構成を示す図で、（ａ）は本発明のトランクスの構成を示す正面図、（ｂ）は従来のトランクスの構成を示す正面図である。
【発明を実施するための形態】
【００１５】
以下、本発明の実施形態について図面を参照して詳細に説明する。図１は本発明の実施形態を示すブラジャー１の全体構成を示す正面図（図１は、人体の図を省略しているが、人体の胸部にブラジャー１を装着した状態を示す正面図であり、ブラジャー１の前部側のみを示す正面図である（ブラジャー１の後部側を省略した正面図））、図２は同ブラジャーの全体構成を示す背面図である（図２は、人体の図を省略しているが、人体の胸部にブラジャー１を装着した状態を示す背面図であり、ブラジャー１の後部側のみを示す背面図である（ブラジャー１の前部側を省略した背面図））。なお、以下の説明においては、ブラジャーを装着した状態の人体を基準として、前後、左右、上下を定義するものとする。
【００１６】
これらの図を参照して本発明のブラジャー１の概要を説明すると、同ブラジャー１は、人体の胸部より詳しくは女性の胸部を保持し、全体が天然素材より詳しくは大島紬を用いて形成されている。ブラジャー１は、カップ体１０、上部支持体２０、下部支持体３０、連結体４０、および締め付け体５０を備えている。
【００１７】
カップ体１０は、左右に備えられており、カップ状より詳しくはドーム状に前方に突出し人体の胸部を保持する機能を有している。
カップ体１０は、左右方向に３つの領域に区画されており、人体の胸部の中央の位置に対応する第１の領域１１と、第１の領域１１の左右両側に位置する第２の領域１２および第３の領域１３からなる。
【００１８】
カップ体１０は、１枚の生地または数枚の生地を重ねて形成されており第１の領域１１のうち第２の領域１２に隣接する側端の縁部１２ａ（以下、単に縁部１２ａとする）および第３の領域１３に隣接する側端の縁部１３ａ（以下、単に縁部１３ａとする）は、上端から下端にかけて帯状体をなす生地を更に重ねて形成されている（縁部１２ａは、左右のカップ体１０の中間部４０´と相対的にはなれた位置にあり、縁部１３ａは、左右のカップ体の中間部４０´と相対的に近い位置ある）。縁部１２ａ，１３ａに更に重ねられた生地は、下方に行くにしたがって幅寸法を漸次増加させている。
【００１９】
上部支持体２０は、左右に備えられており、帯状体をなしている。上部支持体２０は、端部がカップ体１０の上端１０ａと連結しつつ上方に延びてカップ体１０の上端１０ａを上方から引っ張り上げるように支持している。また、上部支持体２０は、人体に身に着けたときに、人体の肩の相当位置において湾曲しながら後方にターンし他端が人体の背部の相当位置まで延びている。これにより、上部支持体２０は、人体の肩に掛け回されることを可能とする。
【００２０】
ここで、上部支持体２０は、第１の領域１１の左右の縁部１２ａ，１３ａのうち左右のカップ体１０の中間部４０´と相対的に離れた位置にある一方の縁部１２ａの上端から上方に帯状体をなして延びる第１の上部支持体２１と、第１の領域１１の左右の縁部１２ａ，１３ａのうち左右のカップ体１０の中間部４０´と相対的に近くの位置にある他方の縁部１３ａの上端から上方に帯状体をなして延びる第２の上部支持体２２と、を左右に備えている。
【００２１】
第１の上部支持体２１は、カップ体１０の第１の領域１１の一方の縁部１２ａの更に重ねられた生地と連続して一体に形成されるとともに、第２の上部支持体２２は、カップ体１０の第１の領域１１の他方の縁部１３ａの更に重ねられた生地と連続して一体に形成されている。すなわち、第１の上部支持体２１と縁部１２ａとは、一の生地を用いて連続して形成され、第２の上部支持体２２と縁部１３ａとは、一の生地を用いて連続して形成されている。
【００２２】
つまり、第１の上部支持体２１および第２の上部支持体２２は、下方に行くにしたがって幅寸法を漸次増加させており、第１の上部支持体２１および第２の上部支持体２２の下端と連続して一体に形成されるカップ体１０の縁部１２ａ，１３ａにおける更に生地を重ねられた部分でも下方に行くにしたがって幅寸法を漸次増加させている。上方から下方にかけての幅寸法の増加率は、第１の上部支持体２１および第２の上部支持体２２よりもカップ体１０の縁部１２ａ，１３ａにおける更に生地を重ねられた部分の方が、更に大きく設定されている。
【００２３】
このように構成される第１の上部支持体２１と第２の上部支持体２２は、上端で連結され、該連結した形状が逆Ｖ字状に形成、より詳しくは上方に行くにしたがって逆Ｖ字状に間隔を漸次減少させながら上端で連結して形成されている。そして、第１の上部支持体２１と第２の上部支持体２２は、人体に身に着けたときに、逆Ｖ字状の上端の位置を人体の胸部の上方であって人体の前部の相当位置に位置させている。そして、更に上部支持体２０は、第３の上部支持体２３を左右に備えている。
【００２４】
すなわち、第３の上部支持体２３は、第１の上部支持体２１および第２の上部支持体２２がなす逆Ｖ字状の上端から上方に延びるとともに、人体に身に着けたときに、人体の肩の相当位置において湾曲しながら後方にターンし人体の背部の相当位置にまで延びている。これにより、第３の上部支持体２３は、人体の肩に掛け回されることを可能としている。
【００２５】
上部支持体２０より詳しくは第３の上部支持体２３の背部の相当位置側には、アジャスター２４が設けられており、このアジャスター２４の位置を上下に調節することにより、上部支持体２０の長さの調節が可能となっている。アジャスター２４は、金属以外の材料、例えばプラスチックより好ましくは天然プラスチックを用いて形成することができ、上下方向に移動可能に形成されている。
【００２６】
下部支持体３０は、左右に備えられており、帯状体をなしている。下部支持体３０は、上端がカップ体１０の下端と連結しつつ左右のカップ体１０の中間部まで左右方向に曲線状に所定の角度をもって斜め上方に上昇しながら延びており、カップ体１０の下端を支持している。
【００２７】
また、下部支持体３０は、人体に身に着けたときに、カップ体１０の下端から人体の背部の相当位置まで人体に沿って左右方向にまわるように後方に更に延在して形成されており、人体の背部の相当位置において左右の端部３０ａ，３０ｂが離間して形成されている。下部支持体３０の離間した端部３０ａ，３０ｂと上部支持体３０の他端側とは連結する構成となっている。下部支持体３０は、人体の前部の相当位置から背部の相当位置に行くにしたがって幅寸法を漸次増加するように形成されている。下部支持体３０の幅寸法の増加率は、人体の前部の相当位置よりも人体の側部および背部の相当位置の方が大きく設定されている。
【００２８】
ここで、上述したカップ体１０は、該カップ体１０の下端が左右のカップ体１０の中間部に行くにしたがって下部支持体３０の上端の上昇角度よりも大きい角度をもって斜め上方に曲線状に上昇するように形成されている。そして、カップ体１０の下端と下部支持体１０の上端とは、カップ体１０の側方の端部の下端１０ｂからカップ体１０の中央部の下端１０ｃまで連結し、かつ、中央部の下端１０ｃから左右のカップ１０の中間部４０´に行くにしたがって漸次間隔を広げながら離間している。これにより、カップ体１０の下端と下部支持体３０との間にはカップ体１０の中央部の下端から左右のカップ体１０の中間部４０´にかけて開口３１が形成される。この開口３１は、略三角形状に設定されている。
【００２９】
なお、下部支持体３０の上端と、第１の上部支持体２１と連続して一体に形成されるカップ体１０の第１の領域１１の一方の縁部１２ａの下端１２ａ´とは連結する一方で、第２の上部支持体２２と連続して一体に形成されるカップ体１０の第１の領域１１の他方の縁部１３ａの下端１３ａ´は、開口３１の上端に位置し、下部支持体３０の上端と開口３１を介して離間する構成となっている。
【００３０】
連結体４０は、左右のカップ体１０の中間部４０´に設けられるとともに、左右の下部支持体３０の中間部４０´´に設けられている。すなわち、連結体４０は、左右のカップ体１０および左右の下部支持体３０を中間部４０´，４０´´で連結する機能を有するとともに、ブラジャー１の左右のバランスを保持する機能を有している。なお、図からも明らかなように、上述した開口３１は、カップ体１０の下端と下部支持体３０の上端と連結体４０に囲まれて略三角形状をなしている。
【００３１】
締め付け体５０は、左右に備えられており、帯状体をなしている。締め付け体５０は、下部支持体３０を人体に締め付ける機能を有している。
【００３２】
締め付け体５０は、下部支持体３０の離間した左右の端部３０ａ，３０ｂのそれぞれから離間した端部３０ａ，３０ｂ間で交差するように左右方向により詳しくは左右方向の斜め下方側に人体に沿ってまわるように前方に延びており、人体に身に着けたときに、長さを人体の背部から人体の前部に至る長さに設定されている。つまり、これら締め付け体５０の端部５０ａ，５０ｂは、人体の前部の相当位置まで達しており、人体の前部の相当位置で例えば玉結びや蝶結び等の結び目５０´を形成するように結ぶことを可能としている。なお、下部支持体３０の前部側の下端には挿通部５０´´が設けられている。つまり、締め付け体５０は、挿通部５０´´に挿通されつつ人体の前部の相当位置まで達しており、挿通部５０´´により締め付け体５０の絡まりを防止するとともに、締め付け作業を容易に行うことができる。この挿通部５０´´は、布材料を用いて形成されるループ状の共布ループが用いられる。
【００３３】
より詳しくは、下部支持体３０の離間した左右の端部３０ａ，３０ｂのうち一方の端部３０ａには、第１の環状体３２が設けられるとともに、他方の端部３０ｂには、第２の環状体３４が設けられている。
【００３４】
更に第１の環状体３２および第２の環状体３４は、それぞれ上位置および下位置の少なくとも２箇所に設けられ、締め付け体５０は、一本の帯状体の中間部を上位置の第１の環状体３２および上位置の第２の環状体３４のうちいずれか一方に挿通しながら該環状体３２，３４に固定される。
【００３５】
そして、締め付け体５０は、更に固定された状態で一端部５０ａを上位置の第１の環状体３２および上位置の第２の環状体３４のうちいずれか他方に挿通しつつ方向を反転させて、更に一端部５０ａを下位置の第１の環状体３２および下位置の第２の環状体３４のうちいずれか一方に挿通しつつ方向を反転させて人体の前部の相当位置まで達するように左右方向により詳しくは左右方向の斜め下方側に延びることとしている。
【００３６】
また締め付け体５０は、更に固定された状態で他端部５０ｂを下位置の第１の環状体３２および下位置の第２の環状体３４のうちいずれか他方に挿通しつつ方向を反転させて人体の前部の相当位置まで達するように左右方向により詳しくは左右方向の斜め下方側に延びることとしている。なお、第１の環状体３２および第２の環状体３４は、金属以外の材料、例えばプラスチックより好ましくは天然プラスチックを用いて形成されている。また、第１の環状体３２および第２の環状体３４は、布材料を用いて形成されたループ（共布ループ）３２´，３４´を介して下部支持体３０の離間した左右の端部３０ａ，３０ｂに設けられている。
【００３７】
以上説明したように、本実施形態にあっては、カップ体１０は、下端が左右のカップ体１０の中間部４０´に行くにしたがって下部支持体３０の上昇角度よりも大きい角度をもって斜め上方に曲線状に上昇するとともに、カップ体１０の下端と下部支持体３０の上端とは、カップ体１０の中央部の下端から左右のカップ体１０の中間部４０´に行くにしたがって漸次間隔を広げながら離間してカップ体１０の下端と下部支持体３０との間に開口３１を有することとしている。これにより、カップ体１０および下部支持体３０により人体の胸部の形状を保持しつつ、カップ体１０の下端と下部支持体３０とが中間部４０´，４０´´に行くにしたがって漸次間隔を広げながら離間することにより胸部の動きが保持されて締め付けも少なく装着のストレスを少なくすることができる。
【００３８】
また、カップ体１０は、左右方向に３つの領域に区画され、人体の胸部の中央の位置に対応する第１の領域１１と、第１の領域１１の両側に位置する第２の領域１２および第３の領域１３と、からなり、第１の領域１１の両側端の縁部１２ａ，１３ａを上端から下端にかけて帯状体をなす生地１２ｂ，１３ｂを更に重ねるとともに、上部支持体２０は、第１の領域１１の一方の縁部１２ａの上端から上方に帯状体をなして延びる第１の上部支持体２１と、第１の領域１１の他方の縁部１３ａの上端から上方に帯状体をなして延びる第２の上部支持体２２と、を左右に有することとしたので、人体の胸部の中央部が第１の上部支持体２１と第２の上部支持体２２の間に保持されて良好な形状に保持することができる。
【００３９】
更に、第１の上部支持体２１は、カップ体１０の第１の領域１１の一方の縁部１２ａの更に重ねられた生地と連続して一体とするとともに、第２の上部支持体２２は、カップ体１０の第１の領域１１の他方の縁部１３ａの更に重ねられた生地と連続して一体とすることとしたので、人体の胸部の中央部が第１の上部支持体２１と第２の上部支持体２２の間に更に一層保持されて良好な形状に保持することができる。
【００４０】
更にまた、第１の上部支持体２１と連続して一体とされるカップ体１０の第１の領域１１の一方の縁部１２ａの下端１２ａ´と、下部支持体３０の上端と、は連結するとともに、第２の上部支持体２２と連続して一体とされるカップ体１０の第１の領域１１の他方の縁部１３ａの下端１３ａ´は、開口３１の上端に位置し、前記下端１３ａ´は、下部支持体３０の上端と開口３１を介して離間することとしたので、第１の上部支持体２１、第２の上部支持体２２、カップ体１０、および下部支持体３０により人体の胸部の形状を更に一層保持しつつ、前記第１の領域１１の他方の縁部１３ａの下端１３ａ´と下部支持体３０の上端とが離間することにより、胸部の自由な動きも保持することができる。
【００４１】
また更に、下部支持体３０を人体に締め付ける左右の帯状体をなす締め付け体５０を有し、下部支持体３０は、カップ体１０の下端から人体の背部の相当位置まで更に延在するとともに、人体の背部の相当位置において左右の端部３０ａ，３０ｂが離間し、締め付け体５０は、下部支持体３０の離間した左右の端部３０ａ，３０ｂのそれぞれから離間した端部３０ａ，３０ｂ間で交差するように左右方向に延びて、締め付け体５０の端部５０ａ，５０ｂは、人体の前部の相当位置まで至ることとしたので、締め付け体５０を左右方向より詳しくは左右方向の斜め下方側に引っ張ったときに、左右の下部支持体３０も引っ張られて離間した端部３０ａ，３０ｂ間の間隔が狭くなり、下部支持体３０を人体に締め付けることができる。また、締め付け体５０を、左右方向の斜め下方側に引っ張ることにより、下部支持体３０と連結する上部支持体２０も下方に引っ張られ、これにより、ブラジャー１の全体を人体に締め付けることができる。更に、人体の前部で締め付け体５０の端部５０ａ，５０ｂを結び目５０´を形成するように結ぶことができ、締め付け作業を容易に行うことができるとともに、締め付け力の調節も容易に行うことができる。
【００４２】
更に、ブラジャー１は、大島紬を用いて形成することとしたので、しなやかで肌触りが良くしかも軽いブラジャーとすることができ、ブラジャーを装着することによる使用者のストレスを大幅に緩和することができる。大島紬は、通気性、抗菌性に優れ下着の使用にも適している。
【００４３】
すなわち、大島紬とは、世界三大織物の一つであり、鹿児島県奄美大島特産の絹織物より詳しくは紬織物である。大島紬は、主に泥染技法により媒染を行い、先染め、かつ、締機で手作業により織られる織物である。このような大島紬は、使い込まれ、洗濯を繰り返し、着込めば着込む程しなやかさや肌触りが更に向上することが知られており装着時のストレス緩和効果が大きい等ブラジャー等の下着の材料として好適である。
【００４４】
なお、本発明は、上述した実施形態に限定されることなく、特許請求の範囲に記載した発明の範囲内において種々の変形実施が可能であることは勿論である。
【００４５】
すなわち、例えば、上述した実施形態においては、上部支持体２０、下部支持体３０、および締め付け体５０は帯状体に形成することとしているが、紐状体としても所要の効果を奏する。ただし、上部支持体２０、下部支持体３０、および締め付け体５０は、紐状体とするよりも帯状体とする方がより好適となる。
【００４６】
また、上述した実施形態においては、上部支持体２０は、第１の上部支持体２１乃至第３の上部支持体２３を有することとしているが、図３および図４に示すブラジャー１００のように、一の上部支持体１２０のみとしてカップ体１１０を上方に引っ張り上げて支持する構成とすることとしても所要の効果を奏する。ただし、上部支持体は、一の上部支持体とするよりも上述した実施形態の如く第１の上部支持体２１乃至第３の上部支持体２３を有することとする方がより好適となる。
【００４７】
更に、図３（図３は、人体の図を省略しているが、人体の胸部にブラジャー１００を装着した状態を示す正面図であり、ブラジャー１００の前部側のみを示す正面図である（ブラジャー１００の後部側を省略した正面図））および図４（図４は、人体の図を省略しているが、人体の胸部にブラジャー１００を装着した状態を示す背面図であり、ブラジャー１００の後部側のみを示す背面図である（ブラジャー１００の前部側を省略した背面図））に示すブラジャー１００のように、左右の上部支持体１２０は、下部支持体１３０の上方であって人体の背部の相当位置において交差することとし、上部支持体１２０の交差する位置を上下方向に調整するアジャスター１２５を有することとしてもよい。このアジャスター１２５は、上下方向に移動可能な環状体をなし、環状体に左右の上部支持体１２０の交差部分を挿通する。なお、アジャスターは、金属以外の材料、例えばプラスチックより好ましくは天然プラスチックを用いて形成することができる。なお、図３に示すように、人体の前部側において左右の上部支持体１３０にアジャスター１２６を設けることとしてもよい。
【００４８】
また更に、図３および図４に示すように、下部支持体１３０の離間した左右の端部１３０ａ，１３０ｂに締め付け体１５０の他端部１５０ｃ，１５０ｄを固定するとともに、下部支持体１３０の離間した左右の端部１３０ａ，１３０ｂのそれぞれから該端部１３０ａ，１３０ｂ間の下方で交差するように左右方向により詳しくは左右方向の斜め下方側に延びて、長さを人体の背部から人体の前部に至る長さに設定されることとして、人体の前部相当位置で結び目１５０´を形成することとしても所要の効果を奏する。なお、下部支持体１３０の前部側の下端には挿通部１５０´´が設けられている。つまり、締め付け体１５０は、挿通部１５０´´に挿通されつつ人体の前部の相当位置まで達しており、挿通部１５０´´により締め付け体１５０の絡まりを防止するとともに、締め付け作業を容易に行うことができる。この挿通部１５０´´は、布材料を用いて形成されるループ状の共布ループが用いられる。
【００４９】
また、上述した実施形態にあっては、大島紬を用いてブラジャー１を形成することとしているが、コットン（綿）、麻等の他の天然素材を用いて形成することとしても所要の効果を奏する。ただし、コットン（綿）、麻等を用いてブラジャー１を形成するよりも、大島紬を用いてブラジャー１を形成する方がより好適となる。
【００５０】
以上説明した本発明のブラジャー１，１００は、上記からも明らかなように天然の素材を用いて形成されるとともに、ワイヤー等の金属やゴム等を用いずに形成される。本発明のブラジャー１，１００は、ワイヤーやゴム等を用いずとも胸部の形状を保持することができ、装着のストレスを少なくすることができる。
【００５１】
[他の発明]
図５に示すように、パンティ２００を形成する際に、一枚の布地を股間の相当位置２１０で連続するパンティの展開した形状２００ａに型取りして形成し、側端部２２０のみで縫い合わせる。これにより、股間の相当位置２１０において縫い合わせることを省略することができ、該股間の相当位置２１０における縫い目を無くすことができる。このように股間の相当位置２１０における縫い目を無くすことにより、衣服を身に着けたときにパンティの縫い目が衣服に浮き出ることを確実に防止することができる。
【００５２】
また、図６（ａ）に示すように、下部に人体の脚部が挿通される一対の脚部挿入口３１０を有するとともに、上部に人体の胴部を挿入して保持する胴部挿入口３２０を有するブリーフ３００において、脚部挿入口３１０の前部の下端３１０ａは、内側から外側に行くにしたがって斜め上方に漸次上昇するように形成することにより、例えば着席等したときにブリーフ３００が人体の臀部に引っ張られて、脚部挿入口３１０の前部の下端３１０ａの位置を人体の脚部の付け根の相当位置に設定することが可能となる（図から明らかなように脚部挿入口３１０の後部の下端３１０ｂは、左右方向に延びている）。
【００５３】
すなわち、図６（ｂ）に示すように、従来のブリーフ４００においては、脚部挿入口４１０の前部の下端４１０ａは、内側から外側に行くにしたがって略水平に伸びており、着席等したときに脚部挿入口４１０の前部の下端４１０ａの位置が人体の脚部の付け根よりも前方の位置（脚部の上部）に設定され、着席等したときに突っ張り感があり違和感があると指摘されていた。
【００５４】
ブリーフ３００を図６（ａ）のように形成することで、突っ張り感による違和感を低減し履き心地を向上させることができる。
【産業上の利用可能性】
【００５５】
本発明は、胸部の形状を保持しつつも、胸部の動きが保持されて締め付けも少なくすることができるブラジャーを提供することができ、下着業界の発展に大きく貢献する。
【符号の説明】
【００５６】
１：ブラジャー
１０：カップ体
１０ａ：上端
１０ｂ：端部の下端
１０ｃ：中央部の下端
１１：第１の領域
１２：第２の領域
１２ａ：縁部
１２ａ´：下端
１３：第３の領域
１３ａ：縁部
１３ａ´：下端
２０：上部支持体
２１：第１の上部支持体
２２：第２の上部支持体
２３：第３の上部支持体
２４：アジャスター
３０：下部支持体
３０ａ，３０ｂ：端部
３１：開口
３２：第１の環状体
３２´：ループ
３４；第２の環状体
３４´：ループ
４０：連結体
４０´：左右のカップ体の中間部
４０´´：左右の下部支持体の中間部
５０：締め付け体
５０´：結び目
５０´´：挿通部
１００：ブラジャー
１２０：上部支持体
１２５，１２６：アジャスター
１３０：下部支持体
１５０：締め付け体
２００：パンティ
２１０：股間の相当位置
２２０：側端部
３００：トランクス
３１０：脚部挿入口
３２０：胴部挿入口
４００：従来のトランクス
４１０：脚部挿入口
【図１】
2019007121.tif 000003
【図２】
2019007121.tif 000004
【図３】
2019007121.tif 000005
【図４】
2019007121.tif 000006
【図５】
2019007121.tif 000007
【図６】
2019007121.tif 000008
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
人体の胸部を保持する左右のカップ体と、前記カップ体を上方から支持する左右の上部支持体と、前記カップ体の下端と連結しつつ左右方向に延びて前記カップ体の下端を支持する左右の下部支持体と、を備えるブラジャーであって、
前記カップ体の下端と前記下部支持体とは、前記左右のカップ体の中間部に行くにしたがって漸次間隔を広げながら離間して前記カップ体の下端と前記下部支持体との間に開口を有し、
前記カップ体は、前記人体の胸部の中央の位置に対応する第１の領域と、前記第１の領域の両側に位置する第２の領域および第３の領域と、からなり、前記第１の領域の左右の縁部を上端から下端にかけて生地を更に重ねるとともに、
前記上部支持体は、前記第１の領域の左右の縁部のうち一方の縁部の上端から上方に延びる第１の上部支持体と、前記第１の領域の左右の縁部のうち他方の縁部の上端から上方に延びる第２の上部支持体と、を左右に備え、
前記第１の上部支持体は、前記カップ体の第１の領域の一方の縁部の前記更に重ねられた生地と連続して一体とされるとともに、前記第２の上部支持体は、前記カップ体の第１の領域の他方の縁部の前記更に重ねられた生地と連続して一体とされることを特徴とするブラジャー。
【請求項２】
前記第１の上部支持体と連続して一体とされる前記カップ体の第１の領域の一方の縁部の下端と、前記下部支持体の上端と、は連結するとともに、前記第２の上部支持体と連続して一体とされる前記カップ体の第１の領域の他方の縁部の下端は、前記開口の上端に位置し、前記下部支持体と前記開口を介して離間することを特徴とする請求項１に記載のブラジャー。
【請求項３】
前記下部支持体を前記人体に締め付ける左右の締め付け体を備え、
前記下部支持体は、前記カップ体の下端から前記人体の背部の相当位置まで左右方向に更に延在するとともに、前記人体の背部の相当位置において左右の端部が離間し、
前記締め付け体は、前記下部支持体の離間した左右の端部のそれぞれから左右方向に延びて、前記締め付け体の端部は、前記人体の前部の相当位置まで至ることを特徴とする請求項１または請求項２に記載のブラジャー。
【請求項４】
天然素材を用いて形成されることを特徴とする請求項１乃至請求項３のうちいずれか一項に記載のブラジャー。
【請求項５】
前記天然素材は、大島紬、コットン、または麻とすることを特徴とする請求項１乃至請求項４のうちいずれか一項に記載のブラジャー。
【手続補正２】
【補正対象書類名】明細書
【補正対象項目名】０００６
【補正方法】変更
【補正の内容】
【０００６】
上記目的を達成するために、ブラジャーに係る請求項１の発明は、人体の胸部を保持する左右のカップ体と、前記カップ体を上方から支持する左右の上部支持体と、前記カップ体の下端と連結しつつ左右方向に延びて前記カップ体の下端を支持する左右の下部支持体と、を備えるブラジャーであって、前記カップ体の下端と前記下部支持体とは、前記左右のカップ体の中間部に行くにしたがって漸次間隔を広げながら離間して前記カップ体の下端と前記下部支持体との間に開口を有し、前記カップ体は、前記人体の胸部の中央の位置に対応する第１の領域と、前記第１の領域の両側に位置する第２の領域および第３の領域と、からなり、前記第１の領域の左右の縁部を上端から下端にかけて生地を更に重ねるとともに、前記上部支持体は、前記第１の領域の左右の縁部のうち一方の縁部の上端から上方に延びる第１の上部支持体と、前記第１の領域の左右の縁部のうち他方の縁部の上端から上方に延びる第２の上部支持体と、を左右に備え、
前記第１の上部支持体は、前記カップ体の第１の領域の一方の縁部の前記更に重ねられた生地と連続して一体とされるとともに、前記第２の上部支持体は、前記カップ体の第１の領域の他方の縁部の前記更に重ねられた生地と連続して一体とされることを特徴とする。
【手続補正３】
【補正対象書類名】明細書
【補正対象項目名】０００８
【補正方法】変更
【補正の内容】
【０００８】
また、カップ体は、人体の胸部の中央の位置に対応する第１の領域と、第１の領域の両側に位置する第２の領域および第３の領域と、からなり、第１の領域の左右の縁部を上端から下端に生地を更に重ねるとともに、上部支持体は、第１の領域の左右の縁部のうち一方の縁部の上端から上方に延びる第１の上部支持体と、第１の領域の左右の縁部のうち他方の縁部の上端から上方に延びる第２の上部支持体と、を左右に備えることとしたので、胸部の中央部が第１の上部支持体と第２の上部支持体の間に保持されて良好な形状に保持することができる（請求項１）。
【手続補正４】
【補正対象書類名】明細書
【補正対象項目名】０００９
【補正方法】変更
【補正の内容】
【０００９】
更に、第１の上部支持体は、カップ体の第１の領域の一方の縁部の更に重ねられた生地と連続して一体とされるとともに、第２の上部支持体は、カップ体の第１の領域の他方の縁部の更に重ねられた生地と連続して一体とされることとしたので、胸部の中央部が第１の上部支持体と第２の上部支持体の間に更に一層保持されて良好な形状に保持することができる（請求項１）。
【手続補正５】
【補正対象書類名】明細書
【補正対象項目名】００１０
【補正方法】変更
【補正の内容】
【００１０】
第１の上部支持体と連続して一体とされるカップ体の第１の領域の一方の縁部の下端と、下部支持体の上端と、は連結するとともに、第２の上部支持体と連続して一体とされるカップ体の第１の領域の他方の縁部の下端は、開口の上端に位置し、下部支持体と開口を介して離間することとすれば、第１の上部支持体、第２の上部支持体、カップ体、および下部支持体により胸部の形状を更に一層保持しつつ、前記第１の領域の他方の縁部の下端と下部支持体の上端とが離間することにより、胸部の自由な動きも保持することができる（請求項２）。
【手続補正６】
【補正対象書類名】明細書
【補正対象項目名】００１１
【補正方法】変更
【補正の内容】
【００１１】
下部支持体を人体に締め付ける左右の締め付け体を備え、下部支持体は、カップ体の下端から人体の背部の相当位置まで左右方向に更に延在するとともに、人体の背部の相当位置において左右の端部が離間し、締め付け体は、下部支持体の離間した左右の端部のそれぞれから左右方向に延びて、締め付け体の端部は、人体の前部の相当位置まで至ることとすれば、締め付け体を左右方向に引っ張ったときに、左右の下部支持体も引っ張られて離間した端部間の間隔が狭くなり、下部支持体を人体に締め付けることができる。また、人体の前部で締め付け体の端部を結ぶことができ、締め付け作業を容易に行うことができるとともに、締め付け力の調節も容易に行うことができる（請求項３）。
【手続補正７】
【補正対象書類名】明細書
【補正対象項目名】００１２
【補正方法】変更
【補正の内容】
【００１２】
ここで、ブラジャーは、天然素材を用いて形成することができ（請求項４）、天然素材は、大島紬、コットン、または麻とすることができる（請求項５）。